(57)【要約】【課題】  点滴中に病院内を移動する際、院内感染の心配が生じることなく移動できるようにするための院内感染防止用用具の提供を図る。【解決手段】  移動用キャスターを具えた点滴用スタンドと、当該スタンドを用いた点滴中の患者とを、各一緒に被うためのカバー体を具え、当該カバー体は、当該点滴用スタンドの上端部分で支持されるように構成した院内感染防止用具。【選択図】  図１
2013223651.tif 000002
【特許請求の範囲】
【請求項１】
患者が入れる程度の間隔を保って左右に対向させて成りかつ患者の背丈より丈高とした支柱(１，１)の下端に、キャスター(３，３)を具えた移動用脚体(２，２)を取付け、
当該支柱(１，１)の上端寄りに、後述するシート状カバー体(６)の中心寄り部分の支持を成すための第一枠環(４)と、これよりやや下方位置に当該シート状カバー体(６)の外縁部分の支持を成すための第二枠環(５)とを固設し、
患者の出入りを行わせるための開閉用部(６ｂ)を後方に具えかつ患者の頭の上から膝の高さまでを被うためのシート状カバー体(６)を、前記第一枠環(４)と第二枠環(５)とに被せることに依って、第二枠環(５)の全周にわたって垂設し、
更に、第２枠環(５)の前方部分に前部上向き折曲部(５ａ)を、またその後方部分に後部上向き折曲部(５ｂ)を夫々設けるように構成した院内感染防止用具。
【請求項２】
第一枠環(４)と第二枠環(５)とを、支柱(１，１)に対して後方にずらせた状態で固定するように構成した請求項２に記載の院内感染防止用具。
【請求項３】
支柱(１，１)として、一本の管材を逆Ｕ状に折り曲げることに依って一体的に形成したものを用いて成る請求項１または請求項２の何れかに記載の院内感染防止用具。
【請求項４】
移動用脚体（２，２）に対して、支柱（１，１）を高さ調節自在に取り付けるように構成した請求項１乃至請求項３の何れかに記載の院内感染防止用具。
【発明の詳細な説明】
【技術分野】
【０００１】
本発明は、点滴中に病院内を移動する際、院内感染の心配が生じることなく移動できるようにするための院内感染防止用具に関する。
【背景技術】
【０００２】
従来、例えば病室から、診察室への移動、会計のための窓口への移動、見舞客との歓談のための待合室への移動等、病院内を移動する機会は結構多いものである。  そして、これらの移動に際して他の患者や外来者との接触に基き、風邪等の病気をうつされてしまう、いわゆる院内感染の恐れが生じることを余儀なくされた。
【０００３】
従来、このような感染を防止するための手段として、予防衣を着用することを通例とした（例えば第１特許文献参）。
然し乍、点滴を受けながらの移動時には、点滴用スタンド（例えば第２特許文献参照）と共に移動しなければならず、そしてこれと連なっている点滴の管の存在もあるため、上記したような予防衣の脱ぎ着は必然的に困難とされた。  
【０００４】
そして、このように腕部分を露出状態にあり、かつ、点滴用チューブが腕に刺し込まれている状態では、上記したような予防衣着用が出来ず、従って、その移動時に院内感染を生じてしまう確率が比較的高いものとされた。  更に、点滴を受けていると言うことは、体力的な低下が生じている場合が多く、従って、病原菌に対する耐性が弱く、院内感染の恐れがより一層強まることとなる。
【０００５】
【特許文献１】特開２０００−０７３２０９号公報
【特許文献２】特開２０１１−０１０６８２号公報
【発明の開示】
【発明が解決しようとする課題】
【０００６】
本発明は、点滴を受けながらの移動に際しては、点滴用スタンドを含めて体全体がカバー体に覆われるようにすることによって、院内感染に対する恐れを回避させ、以って前述したような従来の問題点の解消化を図るように構成した新規の院内感染防止用具を提供するものである。
【課題を解決するための手段】
【０００７】
本発明は請求項１に記載のように、患者が入れる程度の間隔を保って左右に対向させて成りかつ患者の背丈より丈高とした支柱１，１の下端に、キャスター３，３を具えた移動用脚体２，２を取付け、当該支柱１，１の上端寄りに、後述するシート状カバー体６の中心寄り部分の支持を成すための第一枠環４と、これよりやや下方位置に当該シート状カバー体６の外縁部分の支持を成すための第二枠環５とを固設し、患者の出入りを行わせるための開閉用部６ｂを後方に具えかつ患者の頭の上から膝の高さまでを被うためのシート状カバー体６を、前記第一枠環４と第二枠環５とに被せることに依って、第二枠環５の全周にわたって垂設し、更に、第２枠環５の前方部分に前部上向き折曲部５ａを、またその後方部分に後部上向き折曲部５ｂを夫々設けるように構成した院内感染防止用具に係る。
【０００８】
本発明は請求項２に記載のように、第一枠環４と第二枠環５とを、支柱１，１に対して後方にずらせた状態で固定するように構成した請求項２に記載の院内感染防止用具を実施の態様とする。
【０００９】
本発明は請求項３に記載のように、支柱１，１として、一本の管材を逆Ｕ状に折り曲げることに依って一体的に形成したものを用いて成る請求項１または請求項２の何れかに記載の院内感染防止用具を実施の態様とする。
【００１０】
本発明は請求項４に記載のように、移動用脚体２，２に対して、支柱１，１を高さ調節自在に取り付けるように構成した請求項１乃至請求項３の何れかに記載の院内感染防止用具を実施の態様とする。
【発明の効果】
【００１１】
本発明は請求項１に記載のような構成、すなわち、患者が入れる程度の間隔を保って左右に対向させて成りかつ患者の背丈より丈高とした支柱１，１の下端に、キャスター３，３を具えた移動用脚体２，２を取付け、当該支柱１，１の上端寄りに、後述するシート状カバー体６の中心寄り部分の支持を成すための第一枠環４と、これよりやや下方位置に当該シート状カバー体６の外縁部分の支持を成すための第二枠環５とを固設し、患者の出入りを行わせるための開閉用部６ｂを後方に具えかつ患者の頭の上から膝の高さまでを被うためのシート状カバー体６を、前記第一枠環４と第二枠環５とに被せることに依って、第二枠環５の全周にわたって垂設するように構成したから、点滴を行いながらの移動に際して、点滴用スタンドを含めて患者の体全体がカバー体６に覆われているため、身体に対する黴菌が付着することがよく防止され、いわゆる院内感染というような事態発生を未然に回避させる。  同時に、例えばカバー体を不透明材料で形成した場合、カバー体内の患者は、周りの人々の眼から遮られているため、一般人と紛れていても、点滴患者であることに基づく一種の気恥ずかしさを感じることなく移動することが出来る。
【００１２】
そして、当該カバー体６はその中心寄り部分では第一枠環４で、また、その周縁部分では第二枠環５で支えられることとなるから、当該カバー体６がその中心部分で垂れ下がってしまうようなことがない。
【００１３】
更に、第２枠環５の前方部分に前部上向き折曲部５ａを、またその後方部分に後部上向き折曲部５ｂを夫々設けるように構成したから、後方部分の折曲部５ｂの存在は、シート状カバー体６内に患者が入る際に頭をぶつけてしまうと言うような事柄を防止する。  そして、前方部分の折曲部５ａの存在は、中にいる患者の前方部視界の妨げとならないような逃げ的作用を奏することとなる。  すなわち、第二枠環５を単純に水平状態のものとした場合、患者にとってこれが邪魔にならなくするためには、当該第二枠環５の取り付け高さを、患者の背丈より十分に高くしなければならない。  然し乍、このような形態を採ると、全体の高さが著しいものとなり、移動上の安定性を阻害する恐れが生じることとなるが、本発明は上記のような構成の採用に基づき、このような問題発生を未然に防止することとなる。
【００１４】
本発明は請求項２に記載のような構成、すなわち、第一枠環４と第二枠環５とを、支柱１，１に対して後方にずらせた状態で固定するように構成することに依り、患者スペースを広くとることが出来る。
【００１５】
本発明は請求項３に記載のような構成、すなわち、支柱１，１として、一本の管材を逆Ｕ状に折り曲げることに依って一体的に形成したものを用いることに依り、製造コストの低廉化と製造作業の容易化、並びに、強度的向上化が図られる。
【００１６】
本発明は請求項４に記載のような構成、すなわち、移動用脚体２，２に対して、支柱１，１を高さ調節自在に取り付けるように構成すことに依り、患者の背丈に合わせた高さに調節可能とされ、その使用上の快適性が図られる。
【発明を実施するための最良の形態】
【００１７】
図は本発明の１実施例を表したものであって、同図において、１，１は左右対称的に立設する支柱であって、その長さは患者の背丈より丈高なものとすると共に、当該両支柱１，１の対向間隔は、患者が入れる程度の間隔を保って左右に対向させてある。  １ａ，１ａは当該支柱１，１の所要箇所に付設した引掛け鉤であって、点滴等の器具を吊り下げるためのものである。
【００１８】
なお、図示の実施例にあっては、当該支柱１，１を一本の管材を逆Ｕ状に折り曲げることに依って一体的に形成してある。  然し乍、重要な点は、支柱１，１が所要間隔を保って左右に並べて立設されていることにあり、その上端部において図示のように連続状に形成することは必須要件ではない。
【００１９】
２，２は移動用脚体であって、その下面にはキャスター３，３が取り付けられている。  ２ａ、２ａは当該移動用脚体２，２の上面に立設した鞘管であって、上記支柱１，１の下端を摺動自在に挿し込むことに依って、当該支柱１，１の垂直的立設を図るためのものである。  Ｇは当該脚体２，２内に収装したバランス用ウエイトであって、脚体２，２における支柱の前方と後方とに掛かる荷重を等しくするための調節用として取り付けてある。
【００２０】
なお、図面に示す実施例にあっては、図４に示すように、鞘管２ａ，２ａの縦方向に所定間隔を保ちかつ所要数の高さ調節用孔２ｂ…を穿設し、これの任意孔と支柱１，１の下端寄りに穿設する係止用孔とを一括してピン止めすることに依り、当該支柱１，１の高さ調節を可能とするように構成してある。  然し乍、高さ調節のための構成はこれ以外の適宜な手段を採用してもよい。  また、このような高さ調節のための構成を省略した状態で実施する場合もある。
【００２１】
４は第一枠環であって、後述するシート状カバー体６に対する中心寄り部分の支持目的を達成するためのものである。  そして、当該第一枠環４は、支柱１，１の上端寄りに対して、水平状にしてかつ後方にずらせた状態で固設してある。
【００２２】
５は上記第一枠環４より大きくかつこれと相似形を呈する形状の第二枠環であって、後述するシート状カバー体６の外縁部の支持を行うためのものである。  そして、当該第二枠環５の前方部分と後方部分は、上方に跳ね上げるような上向き折曲部５ａ及び５ｂが形成してある。  そして、当該第二枠環５は、支柱１，１の上端寄りにして第一枠環４よりやや下方位置において、前記第一枠環と同様に水平状にしてかつ後方にずらした状態で固設してある。
【００２３】
なお、第一枠環４と第二枠環５とを、支柱１，１に対して後方にずらせた状態で固定したのは、下記するシート状カバー体６内にして支柱１，１より後方部分に入るための患者用スペースを形成するためである。
【００２４】
６はシート状カバー体であって、上記した第一枠環４及び第二枠環５に対して被せることに依って、その全周わたってカーテン状に垂下させるように取付けてある。  なお、当該シート状カバー体６は、点滴を行っている患者の頭の上から膝の高さまでを被う程度の丈幅を具えており、中に入っている患者の様子が外部から分からないようにするためのものである。
【００２５】
また、上記したシート状カバー体６は不透明な材料を用いると共に、防菌性、耐消毒処理に適した材料、例えば合成樹脂製シート材等を用いることが好ましいが、布材、化学繊維材等のような軽い材質のものであっても良い。
【００２６】
６ａは上記患者の眼のあたりに位置するように設けた透明資材製窓部であって、歩行に際する透視用窓としての役割を果たすものである。  すなわち、シート状カバー体６内にいる患者は、シート状カバー体６が不透明素材の場合は周りの人々から見られることがないが、歩行時の視野が妨げられることとなる。  そのために、当該透明資材製窓部６ａを透して当該患者の視界確保がなされるように構成してある。  なお、シート状カバー体６を透明資材で形成した場合は、このような窓部６ａの形成は不要である。
【００２７】
また、上記したシート状カバー体６の後方部分には、患者の出入りを行わせるために、その高さ方向全長に渡って開閉用部６ｂが形成してある。  当該開閉用部６ｂは図示のように両端縁を開閉自在に重ね合わせるように構成したもの（巻きスカート状の構成）、或いはスリット状に構成したもの、若しくは、開閉用部の両端縁をファスナーまたはスナップ止めで開閉自在とするように構成したもの等、適宜形態のものであっても可とする。
【００２８】
ところで、前述した第２枠環５の前方部分と後方部分に上方に跳ね上げるように設けた前部折曲部５ａ及び後部折曲部５ｂであるが、後方部分の折曲部５ｂは、シート状カバー体６内に患者が入る際に頭をぶつけない様にするためのものであり、同じく前方部分の折曲部５ａは、当該第２枠環５の存在が中にいる患者の前方部視界の妨げとならないようにするためのものである。  すなわち、第二枠環６を単純に水平状態のものとした場合、患者にとってこれが邪魔にならなくするためには、当該第二枠環５の取り付け高さを、患者の背丈より十分に高くしなければならない。  然し乍、このような形態を採ると、全体の高さが著しいものとなり、移動上の安定性を阻害する恐れが生じることとなる。  上記の構成は、このような問題の解消化を図るための構成に属するものである。
【００２９】
本発明は図１に示すような状態で使用に供するものである。  そして、この状態において患者はその周りをカバーされた状態となるため、点滴用スタンドと共に移動する際に、近傍者が咳きをして風邪をうつしてしまうと言うような心配を生じることなく、病院内での移動が可能化される。  同時に、カバー体の内部に居る患者は、周りの人々の眼から遮られているため、点滴患者であることの一種の気恥ずかしさを感じることなく移動することが出来る。
【図面の簡単な説明】
【００３０】
【図１】本発明の第１実施例の使用状態を表した説明用側面図である。
【図２】本発明の背面図である。
【図３】シート状カバー体を省略した状態にある本発明の平面図である。
【図４】支柱１の高さ調節用部分の説明用一部切欠断面図である。
【符号の説明】
【００３１】
１  支柱
１ａ引掛け鉤
２  移動用脚体
Ｇ  バランスウエイト
２ａ鞘管
２ｂ高さ調節用孔
３  キャスター
４  第一枠環
５  第二枠環
５ａ前部折曲部
５ｂ後部折曲部
６  カバー体
６ａ窓部
６ｂ開閉用部
【図１】
2013223651.tif 000003
【図２】
2013223651.tif 000004
【図３】
2013223651.tif 000005
【図４】
2013223651.tif 000006